(57)【特許請求の範囲】
【請求項１】
被掃除面に臨む塵取り開口を有する清掃体収容室を吸込み口体主部に設け、この清掃体収容室に前記塵取り開口において互いに向かい合う方向に回転する２本の回転清掃体を並べて収容し、これら２本の回転清掃体の回転に伴い被清掃面から掻き上げられて前記２本の回転清掃体間を通過した塵を前記吸込み口体主部に取付けられた継手管に吸込む吸込み口体において、
前記清掃体収容室が、前記２本の回転清掃体を覆っていて前記２本の回転清掃体によって満たされるような大きさに形成されているとともに、
前記吸込み口体主部が、前記清掃体収容室が延びる方向と同方向に延びて前記清掃体収容室の上側に設けられた塵移送室と、前記両室を連通して前記清掃体収容室の上に設けられ前記掻き上げられた塵が通過する連通口と、前記塵移送室の長手方向の端部に設けられて前記清掃体収容室外の空気を前記塵移送室に前記清掃体収容室を流通させることなく導入する通気部とを夫々備え、
前記継手管が、前記塵移送室内を長手方向に流動する気流を吸込むように前記通気部から離れた位置で前記塵移送室に連通して前記吸込み口体主部に取付けられ、
前記両回転清掃体の内の少なくとも一方の回転清掃体が１以上の毛ブラシ状ブレードからなる清掃要素を備えるとともに、他方の回転清掃体が１以上の板状ブレードからなる清掃要素を備え、これら毛ブラシ状ブレードと板状ブレードとが互いに接しながら回転するように軸方向から見たときの前記清掃要素の回転軌跡をオーバーラップさせたことを特徴とする吸込み口体。
【請求項２】
前記両回転清掃体が前記塵取り開口において互いに向かい合う方向に回転されることを特徴とする請求項１に記載の吸込み口体。
【請求項３】
前記両回転清掃体のいずれもが、前記毛ブラシ状ブレードからなる第１清掃要素と、この第１清掃要素よりも出幅が短い前記板状ブレードからなる第２清掃要素とを夫々備えており、前記両回転清掃体を軸方向から見た状態で、前記両回転清掃体の第１清掃要素と第２清掃要素との回転軌跡がオーバーラップしているとともに、前記両回転清掃体の第２清掃要素の回転軌跡が軽微に接触又は近接していることを特徴とする請求項１又は２に記載の吸込み口体。
【請求項４】
前記両回転清掃体の回転速度が互いに異なっていることを特徴とする請求項１〜３の内のいずれか一項に記載の吸込み口体。
【請求項５】
掃除機本体内の電動送風機の動作により、前記掃除機本体の集塵室に連通された吸込み口体の塵取り開口から被掃除面の塵を空気とともに吸込んで、この吸込んだ塵を前記集塵室内のフィルタに通して捕捉する電気掃除機において、前記吸込み口体に請求項１〜４の内のいずれか一項に記載の吸込み口体を用いたことを特徴とする電気掃除機。
【請求項６】
電動送風機を内蔵した掃除機本体の集塵室に連通された吸込み口体の塵取り開口から被掃除面の塵を取込んで、この取込んだ塵を前記集塵室内のフィルタに通して捕捉し、前記フィルタを通過して前記電動送風機から排出された空気を前記吸込み口体に戻し、この排出空気を前記掃除機本体と前記吸込み口体とにわたって循環させながら掃除をする電気掃除機において、前記吸込み口体に請求項１〜４の内のいずれか一項に記載の吸込み口体を用いたことを特徴とする電気掃除機。
【発明の詳細な説明】
【０００１】
【発明の属する技術分野】
本発明は、掃除機本体内の電動送風機から排出される空気を、吸込み口体に戻すとともに、これら吸込み口体と掃除機本体とにわたって循環させながら掃除をする空気循環式、又は、このような空気循環を伴うことなく、被掃除面に吸込み力を及ぼしながら掃除をする非空気循環式の電気掃除機に関するとともに、これらの掃除機に用いられる吸込み口体に関する。
【０００２】
【従来の技術】
非空気循環式電気掃除機の吸込み口体において、回転方向及び回転数を異にする２本の回転ブラシを床面に平行に配設するとともに、両ブラシを吸込み口体の前後方向に互いにオーバーラップさせることにより、床面の塵埃のかき出し及び叩き出しを効果的に行なって塵埃の補集性を向上でき、かつ、小形化も図れる吸込み口体が提案されている（特開平５−１１１４４９号公報参照）。
【０００３】
この吸込み口体が備える前後２本の回転ブラシは、その回転棒（清掃体軸）の外周に複数のブレードを捻じって取付けた構成である。それにより、ブレードの回転軌跡がオーバーラップしているにも拘らず、回転時にブレードが干渉することをなくして、これらブレードによる被掃除面の塵の掻き出しや叩き出しを効果的に行わせている。
【０００４】
ところで、掃除に伴って回転ブラシには綿状の塵が付着することは避けられず、その付着を放置する場合には、綿状の塵が紐状に成長して回転ブラシの外周に巻付くことは知られている。前記公報に記載の吸込み口体においても、その回転ブラシに綿状の塵が付着することは例外ではなく、そして、前記公報には、回転ブラシのブレードに対する塵の付着量を少なくする点については、何ら特別な対策は講じていない。そのため、前記公報に記載の吸込み口体は、その回転ブラシ自体をしばしば掃除する手間を要する。
【０００５】
前記公報に記載の吸込み口体では、その回転ブラシのブレードがいかなる材質であるのか言及されていないが、ブレードとして例えばブラシ毛を一列に連なるように連続させてなる、いわゆる毛ブラシ状ブレードは、絨毯や畳みの掃除に適し、又、軟質合成樹脂製の成形品からなる板状ブレードはフローリング床等の掃除に適している。そのため、被吸込み口体の回転ブラシが、毛ブラシ状ブレードと板状ブレードとを備えることは、各種の被掃除面の掃除に対する適合性が良い点で好ましい。このような構成は、単一の回転ブラシを備えた吸込み口体では従来知られている。
【０００６】
しかし、毛ブラシ状ブレードは、その先端縁が多数のブラシ毛の毛先で割れた状態に形成されているので、板状ブレードに比較して、綿状の塵が容易に付着し易い。それにも拘らず、前記両種のブレードを有した回転ブラシ付きの従来の吸込み口体では、付着した綿状の塵を取除くための格別な工夫を講じていないので、前記公報のものと同様に回転ブラシ自体をしばしば掃除する手間を要する。
【０００７】
【発明が解決しようとする課題】
本発明が解決しようとする課題は、塵取り性能を向上できるとともに掃除中に塵が付着する回転清掃体に対する掃除の手間を軽減できる吸込み口体及び電気掃除機を得ることにある。
【０００８】
【課題を解決するための手段】
本発明は、被掃除面に臨む塵取り開口を有する清掃体収容室を吸込み口体主部に設け、この清掃体収容室に前記塵取り開口において互いに向かい合う方向に回転する２本の回転清掃体を並べて収容し、これら２本の回転清掃体の回転に伴い被清掃面から掻き上げられて前記２本の回転清掃体間を通過した塵を前記吸込み口体主部に取付けられた継手管に吸込む吸込み口体を前提とする。
【０００９】
そして、前記課題を解決するために、請求項１の発明は、前記清掃体収容室が、前記２本の回転清掃体を覆っていて前記２本の回転清掃体によって満たされるような大きさに形成されているとともに、前記吸込み口体主部が、前記清掃体収容室が延びる方向と同方向に延びて前記清掃体収容室の上側に設けられた塵移送室と、前記両室を連通して前記清掃体収容室の上に設けられ前記掻き上げられた塵が通過する連通口と、前記塵移送室の長手方向の端部に設けられて前記清掃体収容室外の空気を前記塵移送室に前記清掃体収容室を流通させることなく導入する通気部とを夫々備え、前記継手管が、前記塵移送室内を長手方向に流動する気流を吸込むように前記通気部から離れた位置で前記塵移送室に連通して前記吸込み口体主部に取付けられ、前記両回転清掃体の内の少なくとも一方の回転清掃体が１以上の毛ブラシ状ブレードからなる清掃要素を備えるとともに、他方の回転清掃体が１以上の板状ブレードからなる清掃要素を備え、これら毛ブラシ状ブレードと板状ブレードとが互いに接しながら回転するように軸方向から見たときの前記清掃要素の回転軌跡をオーバーラップさせたことを特徴としている。
【００１０】
請求項１の発明は、空気循環式又は非空気循環式の電気掃除機用の吸込み口体に適用できる。又、請求項１の発明において、回転清掃体は、清掃体軸の周面に、清掃要素としての軟質合成樹脂製の板状ブレード又は起毛布製の板状ブレード、或はブラシ毛をブレード状に一連なりに連続させてなる毛ブラシ状ブレードを、清掃体軸から放射方向に突出するように取付けてなる回転清掃体を用いることができ、前記各ブレードは、清掃体軸と平行に延びて取付けられていても、或は清掃体軸に対して螺旋状に巻付くように取付けられていてもよいとともに、清掃体軸の周方向に間隔を置いて複数列設けることもできる。又、両回転清掃体の内の一方の回転清掃体が備えるブレードは、毛ブラシ状ブレードだけであってもよいが、この場合他方の回転清掃体が備えるブレードは板状ブレードを少なくとも備えておればよく、又、両回転清掃体の内の少なくとも一方の回転清掃体には異種のブレードを交互に設けた回転清掃体を用いることもできる。
【００１１】
請求項１の発明では、２本の回転清掃体が掻き上げた塵を、清掃体収容室とは別の塵移送室を流れる空気によって吸込み側に移送させるから、吸込み力が波及しづらい吸込み口体の幅方向の端部において掻き上げられた塵であっても、これを空気移送して継手管に吸込ませることができ、したがって、塵取り性能を向上できる。更に、請求項１の発明では、毛ブラシ状ブレード及び板状ブレードで形成された清掃部材を有しているため、被掃除面に対して毛ブラシ状ブレードによる塵の掻き出しと板状ブレードによる塵の掻き出しとを行うことができ、各種の被掃除面の掃除に対する適合性が良い。そして、前後２本の回転清掃体は、それらの内の少なくとも一方に設けられた毛ブラシ状ブレードと他方に設けられた板状ブレードとを互いに接触させながら回転駆動されるので、毛ブラシ状ブレードよりも腰がある板状ブレードは、毛ブラシ状ブレードにこれを叩くように当るに引続いて毛ブラシ状ブレードを擦るようになる。それに伴い、掃除中に毛ブラシ状ブレードに付着している塵を板状ブレードによって取除くことができる。
【００１２】
請求項２の発明は、請求項１に記載の両回転清掃体が塵取り開口において互いに向かい合う方向に回転されることを特徴としている。
【００１３】
この発明においては、２本の回転清掃体が被掃除面から掻き上げる塵を、これら回転清掃体間に通して上方に送り出すことができ、掻き上げた塵の送り出し位置を定め易い。
【００１４】
請求項３の発明は、請求項１又は２に記載の両回転清掃体のいずれもが、毛ブラシ状ブレードからなる第１清掃要素と、第１清掃要素よりも出幅が短い板状ブレードからなる第２清掃要素とを夫々備えており、両回転清掃体を軸方向から見て、両回転清掃体の第１清掃要素と第２清掃要素との回転軌跡がオーバーラップされているとともに、両回転清掃体の第２清掃要素の回転軌跡が軽微に接触又は近接していることを特徴としている。
【００１５】
この発明においては、互いにオーバーラップしている毛ブラシ状ブレードと板状ブレードとの相互関係によって、毛ブラシ状ブレードに付着している塵を掃除中に板状ブレードによって取除くことができるだけではなく、毛ブラシ状ブレードよりも腰がある前後両回転清掃体の板状ブレード同士は、接することがなく、或は接触するとしても軽微に接するので、これら板状ブレード同士が無理矢理撓むようなことが防止される。
【００１６】
請求項４の発明は、請求項１〜３の内のいずれか一項に記載の両回転清掃体の回転速度が互いに異なっていることを特徴としている。
【００１７】
この発明においては、前後２本の回転清掃体の相対的回転速度差により、互いにオーバーラップしている毛ブラシ状ブレードと板状ブレードとが接する機会を多く確保できる。
【００１８】
請求項５の発明は、掃除機本体内の電動送風機の動作により、前記掃除機本体の集塵室に連通された吸込み口体の塵取り開口から被掃除面の塵を空気とともに吸込んで、この吸込んだ塵を前記集塵室内のフィルタに通して捕捉する電気掃除機において、前記吸込み口体に請求項１〜４の内のいずれか一項に記載の吸込み口体を用いたことを特徴としている。
【００１９】
この請求項５の発明においては、毛ブラシ状ブレードに付着している塵を、掃除中に板状ブレードによって取除くことができる吸込み口体を備えるから、掃除中に塵が付着する回転清掃体に対する掃除の手間を軽減できる非空気循環式の電気掃除機を提供できる。
【００２０】
請求項６の発明は、電動送風機を内蔵した掃除機本体の集塵室に連通された吸込み口体の塵取り開口から被掃除面の塵を取込んで、この取込んだ塵を前記集塵室内のフィルタに通して捕捉し、前記フィルタを通過して前記電動送風機から排出された空気を前記吸込み口体に戻し、この排出空気を前記掃除機本体と前記吸込み口体とにわたって循環させながら掃除をする電気掃除機において、前記吸込み口体に請求項１〜４の内のいずれか一項に記載の吸込み口体を用いたことを特徴としている。
【００２１】
この請求項６の発明においては、毛ブラシ状ブレードに付着している塵を、掃除中に板状ブレードによって取除くことができる吸込み口体を備えるから、空気循環式の電気掃除機を提供できる。
【００２２】
【発明の実施の形態】
以下、図１〜図１０を参照して本発明の第１実施形態を説明する。
【００２３】
図１は空気循環式電気掃除機Ａの全体を示す斜視図であり、同図中符号１は一対の車輪２（一方のみ図示）及び図示しない旋回輪により被掃除面上を自在に移動できる掃除機本体である。掃除機本体１には、その前部に設けられた吸塵口３に、可撓性の吸塵ホース４と非可撓性の吸塵パイプ５とを有する吸塵用連通管６の一端部つまり吸塵ホース４に設けた接続筒７が取外し可能に嵌合して接続され、連通管６の他端部つまり吸塵パイプ５には後述の吸込み口体８が接続されている。吸塵口３には後述の電動送風機から排出された空気が、吸塵空気と混じることがないように導かれる。
【００２４】
複数の合成樹脂製ケース部材を組合わせて構成された掃除機本体１の前部には、上方を開口した集塵室が形成されているとともに、後部には送風機室が形成されている。集塵室には、その上面開口を通してフィルタとしての集塵袋９が出し入れ可能に収容され、集塵室の上面開口は開閉自在なケース蓋１０によって気密的に閉じられている。両側部に前記車輪２が回転自在に取付けられた送風機室には、電動送風機１１と、コードリール（図示しない）等が収容されている。電動送風機１１から排出された空気（排気）は、集塵室の一側部を迂回して配置された図示しない戻し風路部材を介して吸塵口３に導かれるように構成されている。なお、図１中１３はコードリールに巻き取られる電源コードの先端に接続された差込プラグを示している。
【００２５】
吸塵ホース４は、例えば同軸構造の２重管であって、その蛇腹状内管の内側空間で作られる通気路には後述の吸込み口体８で取込まれた塵が循環する空気とともに通され、前記内管と蛇腹状外管との間に形成された環状の通気路には前記戻り風路部材から導かれた排気が吸塵口３を経て通される。この吸塵ホース４の先端部にはく字状に形成されるとともに上方に突出する把手１５を有した接続筒１６が設けられていて、把手１５には電動送風機１１等に対する各種の運転開始及び運転中止を指示するための手元操作用の制御スイッチ１７が設けられている。
【００２６】
接続筒１６に着脱可能に接続される２本継ぎの吸塵パイプ５は、いずれも合成樹脂製の硬質管からなり、塵埃を吸込むための第１パイプ５ａと排気を吸込み口体８内に戻すための第２パイプ５ｂとを有している。第１パイプ５ａは吸塵ホース４の内管に接続筒１６を介して連通され、同様に第２パイプ５ｂは吸塵ホース４の内外両管間の環状通気路に接続筒１６を介して連通される。
【００２７】
次に、図２〜図１０を参照して吸塵パイプ５の先端部に接続される前記吸込み口体８について説明する。吸込み口体８は、掃除機本体１側に連通される接続部としての合成樹脂製の継手管２１と、合成樹脂製の吸込み口体主部２２と、前後２本の回転清掃体２３、２４と、清掃体駆動装置２５とを備えている。
【００２８】
前記吸塵パイプ５の先端部に着脱可能に嵌入して取付けられることにより掃除機本体１の吸塵口３に連通される継手管２１は、図３、図７、図８に示すように吸込み口体主部２２への固定部３１と、この固定部３１に回動可能に連結された可動部３２とを備えている。
【００２９】
固定部３１は、固定基管３３と、この基管３３の軸回りに沿って回動可能な回動管３４とを備えている。この固定部３１は、その軸線を前後方向に沿わせた姿勢で、固定基管３３の前端部を吸込み口体主部２２の後述する主部下ケースと主部上ケースとで上下から挟まれて、吸込み口体主部２２の後部側でかつこの主部２２の幅方向中央部に固定されている。
【００３０】
固定基管３３は、前後両端が夫々開口された内管部３３ａと、後端が開口された外管部３３ｂと、外管部３３ｂの前端を閉じるようにして両管部３３ａ、３３ｂを一体に連結した前壁３３ｃとを有している。内管部３３ａは外管部３３ｂより長い。内管部３３ａの前端部は、前壁３３ｃを前方に貫通して突出され、吸込みの入口をなしている。内管部３３ａは吸込み風路の一部をなし、内外両管部３３ａ、３３ｂ間には戻り風路の一部をなす通路３５が形成されている。前壁３３ｃには１以上の通気口３６（図８参照）が開けられていている。
【００３１】
回動管３４の前部は二重管構造である。この前部を前記内外両管部３３ａ、３３ｂの外周にこれらの周面に沿って回動可能に夫々嵌合して、回動管３４は固定部３１にその後側から取付けられている。回動管３４はその後部に後面から上面にわたって開放する凹み溝３７を有している。回動管３４内には戻り風路の一部をなす通路３８（図８参照）が通路３５に連通して形成されている。
【００３２】
図３及び図８に示すように可動部３２は、塵埃を吸込むために内管部３３ａに連通される第１パイプ４１と、排気を吸込み口体主部２２内に戻すために通路３８に連通される第２パイプ４２とを有している。第１パイプ４１は前記吸塵パイプ５の第１パイプ５ａに着脱自在に嵌合して接続され、第２パイプ４２がその後端に有する接続部４２ａは吸塵パイプ５の第２パイプ５ｂに着脱自在に嵌合して接続される。
【００３３】
この可動部３２の前端部は、凹み溝３７内に収められて回動管３４の後部に連結されている。この連結は、図８に示されるように第２パイプ４２の両側に互いに逆向きに一体に突設した連結筒部４３を、回動管３４の後部に開けた取付け孔３９に回動可能に嵌合させて行われている。この連結によって、連結筒部４３を介して第２パイプ４２と前記通路３８とが連通され、かつ、可動部３２は、取付け孔３９及び連結筒部４３を中心として略９０°の範囲にわたり前記凹み溝３７に沿って可動できるように取付けられる。
【００３４】
なお、図２中４５は清掃体駆動装置２５に電力を供給するための一対の端子ピンのうちの一方を示しており、これらのピン４５は吸塵パイプ５に継手管２１を接続した時に、吸塵パイプ５の先端部に設けた図示しない端子接触片に接続される。それにより、端子ピン４５から清掃体駆動装置２５に至る電気配線４６（図３参照）、及び吸塵パイプ５内の図示しない電気配線を介して、前記制御スイッチ１７による清掃体駆動装置２５に対する通断電がなされる。
【００３５】
図３〜図５に示すように吸込み口体主部２２は、主部上ケース５１と、主部下ケース５２と、これらの間に挟着される主部中ケース５３とを有して形成され、主部上下両ケース５１、５２はねじ止めにより連結されている。主部上ケース５１は、その裏面に複数のリブを有し、これらリブで主部中ケース５３を上方から押さえつけた状態で、主部下ケース５２に被着されている。主部下ケース５２の底壁には、複数の走行用のローラ５４（図９参照）が取付けられている。吸込み口体主部２２内には、循環風吹出し室５６と、清掃体収容室５７と、塵移送室５８とが設けられている。
【００３６】
循環風吹出し室５６は、主部上下ケース５１、５２と主部中ケース５３とにより仕切られる吸込み口体主部２２の内部空間で形成されていて、その前部は塵移送室５８の上側に被さるように設けられている。
【００３７】
清掃体収納室５７には前記２本の回転清掃体２３、２４が互いに平行に並べて収容されている。清掃体収容室５７は、主部下ケース５２の底壁に開口して床等の被掃除面に臨む塵取り開口５７ａを有している。清掃体収容室５７は、そこに収容された２本の回転清掃体２３、２４によって略満たされるような大きさに形成されている。そのため、この収容室５７の内面は、並設された２本の回転清掃体２３、２４の回転軌跡Ｒ１（図４及び図５中一点鎖線参照）との間に比較的大きな隙間を作ることなく接近するように、これら回転清掃体２３、２４を前後及び上側から覆って設けられている。
【００３８】
なお、図３〜図６中５９は主部下ケース５２の前壁を斜めに貫通して設けられた１以上の吸込み孔であって、その後端は清掃体収容室５７に開口されている。この吸込み孔５９は吸込み口体８の前縁を壁際に押付けた際に、この壁際の隅部の塵を吸込むために設けられている。
【００３９】
主部中ケース５３は、主部下ケース５２の前部上面に起立されかつ略長方形状をなして互いに連続するリブ５２ａ〜５２ｄを上方から覆って取付けられ、これらリブ５２ａ〜５２ｄと共に塵移送室５８を区画形成している。清掃体収容室５７の上側にこの収容室５７と略同じ長さを有して設けられた塵移送室５８は、清掃体収容室５７が延びる方向と同方向、つまり、清掃体収容室５７と同様に吸込み口体８の幅方向に延びているとともに、清掃体収容室５７と連通口６１を通して連通されている。吸込み口体８を前後方向に沿って断面した時に現われる塵移送室５８の流路断面積は、同様な清掃体収容室５７の流路断面積よりも小さい。それにより、吸込み口体８の幅方向に沿って塵移送室５８を流れる空気の流速が、同様に吸込み口体８の幅方向に沿って清掃体収容室５７を流れる空気の流速より速くなるように設定されている。
【００４０】
連通口６１も清掃体収容室５７と略同じ長さで吸込み口体８の幅方向に延びて設けられている。連通口６１は、清掃体収容室５７と塵移送室５８との間を一部仕切って塵移送室５８の後部底壁をなして設けられた塵受け棚６２によって、吸込み口体８の前後方向に絞られている。この連通口６１は前記前後一対の回転清掃体２３、２４に跨るようにこれら清掃体２３、２４の真上に対向している。そのため、連通口６１は回転清掃体２３、２４のオーバーラップ部分に対向している。連通口６１の上方に対向する主部中ケース５３の対向壁部分は、上側に行くほど連通口６１に被さるように傾斜されたガイド壁５３ａをなしている。したがって、このガイド壁５３ａは上側に行くほど塵受け棚６２に近付けられている。
【００４１】
塵受け棚６２は後側の回転清掃体２４を上方から覆って設けられている。この棚６２は継手管２１の内管部３３ａに近づくにしたがって次第に下がるように傾斜されていて、そのため、本実施形態では逆ハの字状に傾けられている。それにより、内管部３３ａへの塵を含んだ空気の吸込みをより容易にしている。
【００４２】
塵受け棚６２の前側の先端縁６２ａは上向きに立ち上げられている。この先端縁６２ａの上端の高さは塵受け棚６２の根元より高くなっており、それに伴い塵受け棚６２の上面は凹溝状（樋状）をなしている。
【００４３】
主部中ケース５３の前記継手管２１における固定基管３３と対向する部分、本実施形態では主部中ケース５３の長手方向中央部には、上方及び後方に広がる広がり部５３ｂを有している。広がり部５３ｂの後縁は固定基管３３における内管部３３ａの前縁に被せられている。そのため、広がり部５３ｂを介して吸気用の内管部３３ａと塵移送室５８とが連通されているとともに、塵移送室５８及び前記連通口６１を介して吸気用の内管部３３ａと清掃体収容室５７の長手方向中間部とが連通されている。しかも、図３及び図７に示すように継手管２１と清掃体収容室５７との連通箇所に対応する塵受け棚６２の先端縁６２ａ側部分は切り欠かれている。この切欠き６３によって、前記連通口６１は部分的に継手管２１側に寄るように後側に拡大されている。
【００４４】
又、図４〜図８に示すように主部下ケース５２には前記リブ５２ｂと対向し、かつ、略平行な上向きのリブ５２ｅが設けられ、これら相対向するリブ５２ｂ、５２ｅ間には前記塵移送室５８の後側に沿って吸込み口体主部２２の幅方向に延びる風路６５が設けられている。風路６５の長手方向中間部は前記通気口３６に連通されているとともに、風路６５の上方は前記循環風吹出し室５６に連通されている。そのため、前記電動送風機１１から排出されて通気口３６から流出した空気は、塵移送室５８の後側を迂回するように吸込み口体主部２２の幅方向に風路６５に沿って流動しながら、循環風吹出し室５６に供給され満たされる。
【００４５】
図５〜図７に示すように主部中ケース５３の長手方向両端部上面には塵移送室５８の長手方向両端部の後部側に連通して通気部６６、６８が開口されている。更に、主部中ケース５３の長手方向両端部上面には、通気部６６、６８の前側に隣接位置して通孔からなる他の通気部６７、６９が形成されている。これら通気部６７、６９は図６で代表して示すように連通口６１の長手方向両端部に対向していて、結果的に清掃体収容室５７の長手方向両端部にその上方から連通して設けられている。
【００４６】
更に、主部中ケース５３の長手方向両端部には、前後方向に対応する一方の通気部６６、６７の境をなして下向きに突出するガイドリブ５２ｆが一体形成されているとともに、前後方向に対応する他方の通気部６８、６９の境をなして下向きに突出するガイドリブ５２ｇが一体形成されている。ガイドリブ５２ｇ、５２ｆの下端は、図５及び図６に示すようにリブ５２ｂとともに塵受け棚６２を樋状とする上向きの先端縁６２ａの長手方向の端部に、接触ないしは近接されている。
【００４７】
吸込み口体主部２２の長手方向一端側には、前記清掃体駆動装置２５が収容されている。この清掃体駆動装置２５は、図７及び図８に示すように電動モータ７１と、前後一対の互いに噛合う図示しない最終歯車と、一方の最終歯車及び電動モータ７１の出力軸とを連結した図示しない伝動機構と、前記最終歯車及び伝動機構への塵埃の付着を防止するために、電動モータ７１の出力軸側をも被って設けられた防塵ケース７２と、前記両最終歯車に個別に連結されるとともに防塵ケース７２の側面に露出するように並べて設けられた前後一対の継手７３、７４（図６参照）とを備えている。一対の最終歯車には例えば同一径で同一歯数の歯車が使用されており、両最終歯車及びこれらに連結された継手７３、７４は互いに逆方向に回転駆動される。一対の継手７３、７４は清掃体収容室５７内に臨んでいる。最終歯車及び伝動機構は本実施形態の場合歯車列で形成してあるが、これには制約されない。この清掃体駆動装置２５は、前記風路６５から流出されて通気部６８に至る風に晒されて空冷される。
【００４８】
清掃体駆動装置２５が設置された側と反対側に位置する清掃体収容室５７の端部には、図示しない前後一対の軸受サポート部が前記図示しない両継手７３、７４の夫々に個別に対応して設けられている。清掃体収容室５７には前後一対の回転清掃体２３、２４が後述のように取外し可能に収容されている。
【００４９】
図９及び図１０に示すように両回転清掃体２３、２４は、いずれも清掃体軸８１の一端部に継手８２を取付けるとともに、他端部に清掃体軸８１を回転自在に支持する軸受８３を取付け、かつ、これら継手８２と軸受８３との間に、第１、第２の清掃要素を夫々２枚づつ螺旋状に捻じれるように巻付けて形成されている。第１の清掃要素には軟質合成樹脂により成形されたゴム板状ブレード８４が使用されており、第２の清掃要素にはブラシ毛を一列に連続するように並べてなる毛ブラシ状ブレード８５が使用されている。板状ブレード８４は、毛ブラシ状ブレード８５よりも腰があって変形しずらく、かつ、毛ブラシ状ブレード８５よりも清掃体軸８１からの放射方向への出幅は短い。なお、板状ブレード８４には起毛布を用いることもできる。
【００５０】
両回転清掃体２３、２４は好ましくは同径であり、それらの直径は、最も出幅が長い毛ブラシ状ブレード８５の回転軌跡によって規定される。図４及び図５に板状ブレード８４の回転軌跡を符号Ｒ２で示すとともに、毛ブラシ状ブレード８５の回転軌跡を符号Ｒ１で示す。この図４及び図５に示されるように回転清掃体２３、２４は、それらを軸方向から見たときに、両回転清掃体２３、２４が有する板状ブレード８４の回転軌跡Ｒ２が軽微に接するとともに、毛ブラシ状ブレード８５の回転軌跡Ｒ１が互いに吸込み口体８の前後方向にオーバーラップする状態にして、清掃体収容室５７に収容される。図４中Ｒ３は前記オーバーラップの寸法を示している。なお、本発明において両回転清掃体２３、２４が有する板状ブレード８４の回転軌跡Ｒ２は接触させることなく近接させてもよい。以上のようにオーバーラップされた状態で両回転清掃体２３、２４は、それらが同期して回転されるときには、板状ブレード８４の先端部が毛ブラシ状ブレード８５に当ることができる関係位置に配置されている。又、前記収容状態において、両回転清掃体２３、２４のブレード８４、８５の先端部は、塵取り開口５７ａを通過して被掃除面に接するようになっている。
【００５１】
前側の回転清掃体２３は、その一端部の継手８２を清掃体駆動装置２５が有する前記前側の継手７３に挿脱可能に凹凸嵌合させて接続されるとともに、他端部の軸受８３を主部下ケース５２の前記図示しない前側の軸受サポート部に下側から嵌め付けることによって、清掃体収容室５７の前部に回転可能に取付けられ、この逆の手順によって取外すことができる。同様に、後側の回転清掃体２４も、その一端部の継手８２を清掃体駆動装置２５が有する前記後側の継手７４に挿脱可能に凹凸嵌合させて接続されるとともに、他端部の軸受８３を主部下ケース５２の前記図示しない後側の軸受サポート部に下側から嵌め付けることによって、清掃体収容室５７の後部に回転可能に取付けられ、この逆の手順によって取外すことができる。
【００５２】
なお、主部下ケース５２にはその下側から清掃体収容室５７の軸受サポート部側の端部に対応する部分を閉じる押さえ板８８（図９参照）が着脱可能に取付けられている。この取付けによって、前後の軸受サポート部が下側から塞がれて、これからの継手８２の脱落が防止される。
【００５３】
前記構成において、吸込み口体８の可動部３２の第２パイプ４２、回動管３４の通路３５、回動管３４の通気口３６、風路６５、循環風吹出し室５６、通気部６６、６８、及び塵移送室５８は、この記載順に互いに連通されていて、掃除機本体１の電動送風機１１から排出される空気を、吸込み口体８内において導く戻り風路を形成している。又、可動部３２の第１パイプ４１及びこれに直接連通した回動基管３３の内管部３３ａは、掃除機本体１の電動送風機１１に吸込まれる空気を吸込み口体８内において導く吸込み風路を形成している。この吸込み風路の入口である内管部３３ａの前端開口は、塵移送室５８及びこの移送室５８と連通口６１を介して清掃体収容室５７に連通されている。
【００５４】
そして、前記構成の吸込み口体８及びこれを備えた空気循環式電気掃除機を用いて掃除をする場合は、掃除機本体１に吸塵ホース４、吸塵パイプ５を図１に示すように順に接続し、吸塵パイプ５の先端部に吸込み口体８の継手管２１を接続し、吸込みホース４の把手１５に設けた制御スイッチ１７のうちのいずれかを閉成操作する。この閉成操作がされることにより掃除機本体１に内蔵の電動送風機１１が運転し、又、吸込み口体８に内蔵の清掃体駆動装置２５の電動モータ７１が運転されるに伴い、清掃体収容室５７内の前後一対の回転清掃体２３、２４、が、内内方向、つまり、塵取り開口５７ａにおいて互いに向かい合う方向（図３〜図５中矢印イ、ロ参照）に夫々同期して回転駆動される。なお、スイッチ操作により回転清掃体２３、２４の回転は任意に停止させることができる。
【００５５】
一方、電動送風機１１の吸込み作用によって、吸込み口体８の塵移送室５８内の空気が吸込まれ、この吸込み空気は、継手管２１における可動部３２の第１パイプ４１及びこれに直接連通した回動基管３３の内管部３３ａ、吸塵パイプ５、吸塵ホース４、及び吸塵口３の夫々の吸込み風路を経て（図１に実線の矢印で示す経路）集塵室内に吸込まれる。塵埃は集塵袋９によって除去され吸込み気流は排気風として電動送風機１１から排出される。この排気風は、図１に点線の矢印で示す経路をなす掃除機本体１の図示しない戻り風路部材、吸塵口３、吸塵ホース４、吸塵パイプ５、及び吸込み口体８に戻される。
【００５６】
そして、吸込み口体８に戻された排気は、可動部３２の第２パイプ４２、回動管３４の通路３５、回動管３４の通気口３６、風路６５、循環風吹出し室５６、通気部６６、６８を通って、塵移送室５８内にこの室５８の長手方向両端部から継手管２１側に向けて吹き出された後、既述の吸込みにより掃除機本体１側に回収される。以上の繰り返しにより電動送風機１１から排出された空気が掃除機本体１と吸込み口体８とにわたって循環される。
【００５７】
この場合、継手管２１の内外両管部間を通って風路６５に導かれながら循環風吹出し室５６内に吹き出された循環風は、主部中ケース５３の通気部６６、６８を通って塵移送室５８にその長手方向両端部から流入するとともに、ガイドリブ５２ｇ、５２ｆによって流れ方向を塵移送室５８にその長手方向に沿うように導かれる。それにより、循環風は、塵移送室５８の後部を長手方向に流動して継手管２１の吸込み部である内管部３３ａに吸込まれる。
【００５８】
又、掃除機本体１と吸込み口体８とにわたって循環する空気の一部は、既述のような風の流れとは別に、通気部６７、６９及びその直下の連通口６１の端部を通って清掃体収容室５７に流入し、この収容室５７を長手方向に流動しながら再び連通口６１を通って塵移送室５８に至り、この室５８を流れている風と合流して、継手管２１に対応する位置でこの継手管２１の内管部３３ａに吸込まれる。
【００５９】
以上のように掃除機本体１の電動送風機１１から排出された空気は、吸塵ホース４及び吸塵パイプ５の戻し用風路から吸込み口体８内での前記戻し風路を流動して、吸込み口体８内の前記吸込み風路に吸込まれた後、吸塵ホース４及び吸塵パイプ５の吸込み用風路を通って掃除機本体１の集塵室から電動送風機１１に吸込まれて循環する。
【００６０】
この主たる空気循環の経路中には清掃体収容室５７は含まれていないから、主たる循環空気が清掃体収容室５７を流通することはない。そのため、吸込み口体８内に導入された戻り空気の殆どは、清掃体収容室５７内の２本の回転清掃体２３、２４の外周面に沿って流通することがなく、清掃体収容室５７より上側の塵移送室５８を流通して継手管２１の内管部３３ａに吸込まれて掃除機本体１側に回収される。
【００６１】
前記主たる空気循環において、塵移送室５８にその長手方向の端部から導入される空気は、電動送風機１１の排気圧により元々流動するエネルギーを有していることに加えて、塵移送室５８の流路断面積が小さくなっていることにより、この塵移送室５８内を高速度で流通する。
【００６２】
一方、前記空気循環と同時に前後一対の回転清掃体２３、２４が回転駆動されて、そのブレード８４、８５によって被掃除面の塵が掻き上げられる。この場合、２本の回転清掃体２３、２４は、塵取り開口５７ａにおいて互いに向かい合う方向に回転駆動されているから、被掃除面の塵は両回転清掃体２３、２４の周囲に跳ね飛ばされることがなく、これら回転清掃体２３、２４により塵の送出方向を規制されながら両回転清掃体２３、２４間を通って上方へ勢いよく掻き上げられる。この掻き上げは、回転清掃体２３、２４の全長、言い換えれば、吸込み口体８の幅方向略全長にわたって行われる。
【００６３】
こうして被掃除面から掻き上げられた塵は、その勢いによって、２本の回転清掃体２３、２４の互いに向い合っている上部周面間スペースの真上に対向している連通口６１を、何ら妨げられることなく容易に通過して、この連通口６１上に対向している主部中ケース５３の斜めのガイド壁５３ａにあたって、この塵受け棚６２側に導かれる。しかも、塵移送室５８において塵受け棚６２上を主として流動する高速の風の影響、及び前記内管部３３ａでの空気の吸込みの影響によって、連通口６１を通って塵移送室５８に至った空気は前記高速の風に合流するように流動されている。
【００６４】
そのため、前記掻き上げによって連通口６１を通過した塵は、その真下に自由落下して清掃体収容室５７に戻ることがなく、この塵を連通口６１より後側の塵受け棚６２側に円滑に移動させて、この棚６２上に載せることができる。しかも、塵受け棚６２の先端縁６２ａは立ち上がっているので、塵受け棚６２上に一旦のせられた塵が、先端縁６２ａを越えて脱落することは抑制されるとともに、この立ち上がった先端縁６２ａにより塵受け棚６２を風の通り道となるように樋状にできるので、その上を流れる高速の風の流れを円滑に案内して、より高速の風を塵受け棚６２上に流させることができる。
【００６５】
こうして塵が清掃体収容室５７から供給される塵移送室５８には既述のように循環気流が高速で流動している。そのため、塵受け棚６２上の塵および塵移送室５８内を浮遊している塵を、高速空気流にのせて継手管２１まで移送して、その内管部３３ａに吸込ませることができる。
【００６６】
このように前後２本の回転清掃体２３、２４が掻き上げた塵を、清掃体収容室５７とは別の塵移送室５７を流れる高速の空気によって吸込み側に移送させるから、継手管２１に至る塵の空気移送において２本の回転清掃体２３、２４が風路抵抗となることがない。そのため、空気移送される塵が両回転清掃体２３、２４に引っ掛かることが殆どなく、掻き上げられた塵を円滑かつ確実に継手管２１の内管部３３ａに移送して吸込ませることができる。
【００６７】
したがって、吸込み力が波及しづらい吸込み口体８の幅方向の端部において掻き上げられた塵であっても、これを以上のように空気移送して継手管２１に吸込ませることができるので、塵取り性能を向上できる。
【００６８】
しかも、吸込み力は主として高速の空気を流す塵移送室５７に作用し、この室５７とは絞りとなっている連通口６１を介して連通されている下側の清掃体収容室５７への前記吸込み力の波及は弱い。そのため、被掃除面に臨んだ清掃体収容室５７の塵取り開口５７ａが被掃除面に吸付けられることも防止でき、吸込み口体８を軽く被掃除面上で動かすことができ、操作性がよい。
【００６９】
以上のように前記構成の吸込み口体８及びこれを備えた空気循環式電気掃除機を用いての掃除においては、前後一対の回転清掃体２３、２４が掻き上げた被清掃面の塵を、清掃体収容室５７上に位置した塵移送室５８に移し、電動送風機１１から排出されて実質的に完全循環しながら前記塵移送室５８を高速で流れる循環風を利用して、塵移送室５８内の塵を移送して吸込み風路に吸込ませることができ、しかも、吸込み口体８を被掃除面上に軽く移動させながら、この被掃除面を掃除することができる。
【００７０】
更に、既述のように循環風の一部を、清掃体収容室５７内に導入させた後に、連通口６１を通して塵移送室５８を流れる気流に合流させているので、回転清掃体２３、２４が被掃除面から掻き上げた塵を塵受け棚６２上に円滑に運び易く、塵取り性能をより向上できる点で優れている。
【００７１】
以上説明した掃除において、被掃除面に接して塵の掻き上げをする両回転清掃体２３、２４は、フローリング床の掃除に適する板状ブレード８４を有しているとともに、絨毯や畳みの掃除に適する毛ブラシ状ブレード８５を備えているので、各種の被掃除面に対する適合性が良い。
【００７２】
ところで、前記掃除中においては、掻き揚げられた塵の一部が両回転清掃体２３、２４の特に毛ブラシ状ブレード８５に多く付着するが、この塵は付着した傍から以下のように取除かれて、既述のように塵移送室５８を経由して掃除機本体１側に吸込まれる。
【００７３】
つまり、前後２本の回転清掃体２３、２４は、それらを軸線方向から見た時に、毛ブラシ状ブレード８５の回転軌跡Ｒ１と板状ブレード８４の回転軌跡Ｒ２とが互いにオーバーラップするように配置されているから、前後２本の回転清掃体２３、２４が回転駆動される時には、一方の回転清掃体の毛ブラシ状ブレード８５と他方の回転清掃体の板状ブレード８４の先端部とが接触する。
【００７４】
この接触は、塵の掻き出し等に伴う各ブレード８４、８５の可撓変形等の動的要因、毛ブラシ状ブレード８５の毛先側が根本側よりも広がっていること、並びに両回転清掃体２３、２４の相互位置関係等により可能である。特に、図４及び図５に示すように内内方向に回転駆動される回転清掃体２３、２４において、回転方向前側に先行する回転清掃体２３の毛ブラシ状ブレード８５に対し、このブレード８５を回転方向後側から後追いする回転清掃体２４の板状ブレード８４が近付けられている構成においては、なお更両ブレード８４、８５の接触が容易である。
【００７５】
このように各ブレード８４、８５を互いに接しながら両回転清掃体２３、２４が回転駆動されることにより、毛ブラシ状ブレード８５よりも腰がある板状ブレード８４の先端縁は、毛ブラシ状ブレード８５にこれを叩くように当るに引続いて毛ブラシ状ブレード８５を擦るようになる。そのため、掃除中に毛ブラシ状ブレード８５に付着している綿状の塵等の付着物は、板状ブレード８４によって取除かれる。そして、こうして除かれた塵は、遠心力によって塵移送室５８内に送出された後、この室５８内での既述の空気移送により継手管２１に吸込まれる。
【００７６】
以上のように掃除に伴い毛ブラシ状ブレード８５付着した塵を板状ブレード８４によって掃除中に自動的に取除くので、毛ブラシ状ブレード８５を有する回転清掃体２３、２４に対する塵の付着量を少なくできる。したがって、これら回転清掃体２３、２４に付着した綿状の塵を定期的する除去する手間を軽減できる。
【００７７】
しかも、両回転清掃体２３、２４が回転駆動される時に、それらの板状ブレード８４の先端同士は、接することがなく、或は接触するとしても軽微に接するので、これら板状ブレード８４同士が無理矢理撓むようなことが防止される。そのため、前後両回転清掃体２３、２４の回転が円滑となり、かつ、これらを回転駆動する清掃体駆動装置２５に対する負荷を軽減できる。
【００７８】
なお、本発明は前記第１実施形態において両回転清掃体２３、２４の回転速度を互いに異ならせて実施してもよい。この場合、例えば清掃体駆動装置２５が有する一対の最終歯車の歯数を変えることにより、両回転清掃体２３、２４の回転速度を互いに異ならせることができるとともに、前側の回転清掃体２３が後側の回転清掃体２４より速くても、この逆に遅くてもよい。
【００７９】
このようにして実施する場合には、前後２本の回転清掃体２３、２４の相対的回転速度差により、互いにオーバーラップしている毛ブラシ状ブレード８５と板状ブレード８４とが接する機会を多く確保できる。したがって、毛ブラシ状ブレード８５に付着した塵を、板状ブレード８４によって掃除中により効果的に取除くことができる。
【００８０】
図１１〜図１３は本発明の第２実施形態を示している。この実施形態は非空気循環式電気掃除機Ｅ及びそれ用の吸込み口体１１１に本発明を適用した例を示している。
【００８１】
図１１中１１２は図示しない車輪により被掃除面上を移動可能な掃除機本体で、その前部に設けられた吸塵口１１３には、図示しない可撓性の吸塵ホースと非可撓性の吸塵パイプとを有する吸塵用連通管の一端部が取外し可能に嵌合して接続され、この連結管の他端部には吸込み口体１１１が取外し可能に嵌合して接続されている。吸塵用連通管には吸込み空気流のみが通されるようになっている。掃除機本体１１２の前部の集塵室には、集塵袋（フィルタ）１１４が出し入れ可能に収容されているとともに、掃除機本体１１２の後部の送風機室には電動送風機１１５等が収容されている。電動送風機１１５から排出された空気は、掃除機本体１１２の後部に設けた排気部１１６を通って外部に放出されるように構成されている。
【００８２】
吸込み口体１１１は、吸込み口体主部１２１、前後一対の回転清掃体１２３及び１２４、継手管１２５、及び清掃体駆動装置１２６等を備えている。
【００８３】
吸込み口体主部１２１は、主部上ケース１２８と主部下ケース１２９とを連結して形成されている。主部下ケース１２９の前部は清掃体収容室１３１をなしており、この収容室１３１は被掃除面に臨む塵取り開口１３１ａを有している。更に、図１１及び図１３に示すように主部下ケース１２９の天井壁には、上向きのリブからなる互いに略平行な前後一対の仕切り壁１３２、１３３が一体に突設されているとともに、これら両壁１３２、１３３間に連通口１３５を設けている。
【００８４】
主部上ケース１２９は仕切り壁１３２、１３３の上端間を閉じて設けられており、これら主部上ケース１２９と前後の仕切り壁１３２、１３３とで囲まれる空間によって、清掃体収容室１３１の上側にこの室１３１と連通口１３５を介して連通された塵移送室１３６が形成されている。この塵移送室１３６の風路断面積は清掃体収容室１３１の風路断面積よりも小さい。又、前記天井壁の一部は後側の仕切り壁１３３側に位置されていて塵移送室１３６と清掃体収容室１３１との間を仕切っており、この壁部分は塵受け棚１３９として使用されている。
【００８５】
塵移送室１３６及び塵受け棚１３９は吸込み口体主部１２１の幅方向略全長延びて設けられている。塵移送室１３６の長手方向の少なくとも一端部例えば両端部に夫々空気導入口１３７（図１２参照）が設けられている。これら導入口１３７は、吸込み口体１１１の外部に直接連通するように例えば主部上ケース１２９の両端部上面に開放されて、外気を吸込み可能としてある。
【００８６】
前後一対の仕切り壁１３２、１３３の内、例えば後側の仕切り壁１３３には、塵移送室１３６の長手方向に沿って空気導入口１３７から離れた位置、好ましくは塵移送室１３６の長手方向略中央部に位置して吸気開口１３８が設けられている。吸込み口体主部１２１の幅方向中央部には、継手管１２５の前端部が上下のケース１２８、１２９の後部で挟持されて取付けられ、この継手管１２５と前記吸気開口１３８とは連通されている。前記吸塵用連通管の先端部に接続される継手管１２５は、その内部を吸込み空気が主に流通可能に構成されている。
【００８７】
したがって、電動送風機１１５が運転されるに伴って生じる吸込み力は、吸塵用連通管、継手管１２５及び吸気開口１３８を介して塵移送室１３６に波及し、更に、塵受棚１３９で絞られている連通口１３５を介して塵移送室１３６から清掃体収容室１３１に波及する。
【００８８】
そのため、空気導入口１３７から塵移送室１３６に吸込まれる外気が塵移送室１３６内を高速度で流通して吸気開口１３８を通って継手管１２５に吸込まれる。同時に、前記外気導入に応じて清掃体収容室１３１に波及する吸込み圧力が減少した状態で、この収容室１３１内の空気が連通口１３５を通って塵移送室１３６内に吸込まれ、そして、この空気は塵移送室１３６内の高速空気流と合流して、吸気開口１３８を通って継手管１２５に吸込まれる。
【００８９】
図１１に示すように清掃体収容室１３１にこれを略満たすように収容された前後２本の回転清掃体１２３、１２４の一端部は軸受１４１に支承されており、かつ、他端部には互いに噛合う歯車１４２、１４３に個別に支持されている。同一径で同一歯数の歯車１４２、１４３は清掃体駆動装置１２６の最終歯車をなすものであって、その同期回転により前後２本の回転清掃体１２３、１２４を、塵取り開口１３１ａにおいて互いに向かい合うように図１１中矢印イ、ロ方向に回転駆動させる。
【００９０】
吸込み口体主部１２１に内蔵された清掃体駆動装置１２６は、電動モータ１４５と、巻掛け伝動機構１４６と、前記最終歯車１４２、１４３とを備えている。巻掛け伝動機構１４６は、電動モータ１４５に連結された駆動用歯付きプーリ１４７と、後側の最終歯車１４３に同軸に連結された被動用歯付きプーリ１４８と、これらプーリ１４７及び１４８にわたって巻掛けられたタイミングベルト１４９とにより形成されている。したがって、電動モータ１４５の動力によって前後２本の回転清掃体１２３、１２４を内内方向に回転駆動させて、その清掃要素としてのブレードにより被掃除面の塵を、回転清掃体１２３、１２４間を通るように掻き上げることができる。
【００９１】
そして、清掃体収容室１３１に収容された回転清掃体１２３、１２４は、いずれも清掃体軸１５３の外周に、夫々２枚づつの第１、第２の清掃要素を螺旋状に捻じれるように巻付けて形成されている。第１の清掃要素には軟質合成樹脂により成形されたゴム板状ブレード１５４が使用されており、第２の清掃要素にはブラシ毛を一列に連続するように並べてなる毛ブラシ状ブレード１５５が使用されている。板状ブレード１５４は、毛ブラシ状ブレード１５５よりも腰があって変形しずらく、かつ、毛ブラシ状ブレード１５５よりも清掃体軸１５３からの放射方向への出幅は短い。なお、板状ブレード１５４には起毛布を用いることもできる。
【００９２】
両回転清掃体１２３、１２４は好ましくは同径であり、それらの直径は、最も出幅が長い毛ブラシ状ブレード１５５の回転軌跡Ｒ１によって規定される。図１１中符号Ｒ２は板状ブレード１５４の回転軌跡を示している。図１１に示されるように回転清掃体１２３、１２４は、それらを軸方向から見たときに、両回転清掃体１２３、１２４が有する板状ブレード１５４の回転軌跡Ｒ２が軽微に接するとともに、毛ブラシ状ブレード１５５の回転軌跡Ｒ１が互いに前後方向にオーバーラップする状態にして、清掃体収容室１３１に収容される。図１１中Ｒ３は前記オーバーラップの寸法を示している。以上のようにオーバーラップされた状態で両回転清掃体１２３、１２４は、それらが同期して回転されるときには、板状ブレード１５４の先端部が毛ブラシ状ブレード１５５に当ることができる関係位置に配置されている。又、前記収容状態において、両回転清掃体１２３、１２４のブレード１５４、１５５の先端部は、塵取り開口１３１ａを通過して被掃除面に接するようになっている。
【００９３】
この第２実施形態においても、回転清掃体１２３、１２４の板状ブレード１５４の回転軌跡Ｒ２と毛ブラシ状ブレード１５５の回転軌跡Ｒ１とがオーバーラップしており、これらブレード１５４、１５５を互いに当てながら両回転清掃体１２３、１２４を清掃体駆動装置１２６により回転駆動させることができる。そのため、掃除中に毛ブラシ状ブレード１５５に付着した塵を板状ブレード１５４で次々に取除いて、毛ブラシ状ブレード１５５を有する回転清掃体１２３、１２４に対する塵の付着量を少なくできる。したがって、回転清掃体１２３、１２４を定期的に掃除する手間を軽減できる。
【００９４】
又、清掃体駆動装置１２６の運転に伴い、回転駆動される前後２本の回転清掃体１２３、１２４により被掃除面から掻き上げられた塵は、清掃体収容室１３１とは別にこの上側に形成された塵移送室１３６に至り、その内の一部は塵受け棚１３９上に自由落下する。そして、こうして塵が清掃体収容室１３１から供給される塵移送室１３６には、被掃除面以外の方向から空気導入口１３７を通して外気が吸込まれて高速で流動しているため、この高速の吸込み空気流にのせて塵受け棚１３９上に乗っている塵及び塵移送室１３６に浮遊している塵を、吸気用継手管１２５まで移送して、この管１２５に吸込ませることができる。
【００９５】
このように掻き上げられた塵を塵移送室１３６を流れる高速の空気によって吸込み側に移送させるから、こうした塵の空気移送において２本の回転清掃体１２３、１２４が風路抵抗となることがない。そのため、空気移送される塵が両回転清掃体１２３、１２４と干渉して引っ掛かることが殆どなく、掻き上げられた塵を円滑かつ確実に継手管１２５に移送して吸込ませることができる。したがって、吸込み力が波及しづらい吸込み口体１１１の幅方向の端部において掻き上げられた塵であっても、これを以上のように空気移送して吸込ませることができるので、塵取り性能を向上できる。
【００９６】
しかも、以上のように外気を吸込むに伴って、継手管１２５から絞りとなっている連通口１３５を介して連通されている下側の清掃体収容室１３１に作用する吸込み力は大きく低下する。そのため、非空気循環式の掃除であるにも拘らず、被掃除面に臨んだ清掃体収容室１３１の塵取り開口１３１ａが被掃除面に強く吸付けられることも防止できる。よって、吸込み口体１１１を軽く被掃除面上で動かすことができ、操作性がよい。
【００９７】
又、回転清掃体１２３、１２４の板状ブレード１５４の回転軌跡Ｒ２と毛ブラシ状ブレード１５５の回転軌跡Ｒ１とがオーバーラップしていて、これらブレード１５４、１５５を互いに当てながら両回転清掃体１２３、１２４を回転駆動させるから、掃除中に毛ブラシ状ブレード１５５に付着した塵を板状ブレード１５４で次々に取除いて、本発明の課題を解決できる。
【００９８】
なお、本発明において、２本の回転清掃体を回転させる手段としては、前記各実施形態に例示したものの他、吸込み気流又は循環される気流の一部又は全部が吹き当てられることにより回転されるタービンを用いて、２本の回転清掃体を回転させることもでき、又、２本の回転清掃体の内の少なくとも一方に、吸込み気流又は循環される気流の一部又は全部を吹き当てることで、これら２本の回転清掃体を回転させることもできる。又、清掃体駆動装置を用いる場合に、その伝動機構には、歯車列、又はタイミングベルトを用いた巻掛け伝動部、或は、これらの組合わせによって形成される伝動機構等を用いることができる。
【００９９】
【発明の効果】
本発明は、以上説明したような形態で実施され、以下に記載されるような効果を奏する。
【０１００】
請求項１の発明によれば、２本の回転清掃体が掻き上げた塵を、清掃体収容室とは別の塵移送室を流れる空気によって吸込み側に移送させるから、吸込み力が波及しづらい吸込み口体の幅方向の端部において掻き上げられた塵であっても、これを空気移送して継手管に吸込ませることができ、したがって、塵取り性能を向上できる。しかも、前後２本の回転清掃体の内の少なくとも一方の回転清掃体が有する毛ブラシ状ブレードに付着している塵を、他方の回転清掃体が有する板状ブレードによって掃除中に自動的に取除くことができるので、毛ブラシ状ブレードを有する回転清掃体に対する塵の付着量が少なくなり、この回転清掃体を定期的に掃除する手間を軽減できる吸込み口体を提供できる。
【０１０１】
請求項２の発明によれば、被掃除面から掻き上げた塵の送り出し位置を定め易い吸込み口体を提供できる。
【０１０２】
請求項３の発明によれば、掃除中に、毛ブラシ状ブレードに付着している塵を板状ブレードによって取除くことができるだけではなく、板状ブレード同士が無理矢理撓むことが防止されるので、回転清掃体を円滑に回転させることができる。
【０１０３】
請求項４の発明によれば、互いにオーバーラップしている毛ブラシ状ブレードと板状ブレードとが接する機会を多く確保して、板状ブレードによる毛ブラシ状ブレードに対する掃除性をより向上できる。
【０１０４】
請求項５の発明によれば、毛ブラシ状ブレードに付着している塵を掃除中に板状ブレードによって取除くことができる吸込み口体を備えるから、掃除中に塵が付着する回転清掃体に対する掃除の手間を軽減できる非空気循環式の電気掃除機を提供できる。
【０１０５】
請求項６の発明によれば、毛ブラシ状ブレードに付着している塵を掃除中に板状ブレードによって取除くことができる吸込み口体を備えるから、掃除中に塵が付着する回転清掃体に対する掃除の手間を軽減できる空気循環式の電気掃除機を提供できる。
【図面の簡単な説明】
【図１】本発明の第１実施形態に係る空気循環式電気掃除機を示す斜視図。
【図２】図１の電気掃除機が備える吸込み口体を示す斜視図。
【図３】図２の吸込み口体を示す縦断側面図。
【図４】図２の吸込み口体の幅方向中央部と一端部との間の部分を拡大して示す縦断側面図。
【図５】図２の吸込み口体の幅方向一端部を示す縦断側面図。
【図６】図２の吸込み口体を反転させた状態でその一端部を示す斜視図。
【図７】図２の吸込み口体をその主部上カバーを取外した状態で示す概略平面図。
【図８】図２の吸込み口体をその主部上カバーと主部中カバーとを取外した状態で一部を断面して示す概略平面図。
【図９】図２の吸込み口体を示す下面図。
【図１０】図２の吸込み口体が備える回転清掃体を示す平面図。
【図１１】本発明の第２実施形態に係る非空気循環式電気掃除機の吸込み口体を示す概略断面図。
【図１２】図１１の吸込み口体を示す平面図。
【図１３】図１１の吸込み口体をその主部上カバーを取外した状態で一部を切り欠いて示す概略平面図。
【符号の説明】
Ａ…空気循環式電気掃除機、１…掃除機本体、８…吸込み口体、９…集塵袋（フィルタ）、１１…電動送風機、２１…継手管、２２…吸込み口体主部、２３…前側の回転清掃体、２４…後側の回転清掃体、２５…清掃体駆動装置、５７…清掃体収容室、５７ａ…塵取り開口、５８…塵移送室、６１…連通口、６６，６８…通気部、８１…清掃体軸、８４…板状ブレード（第１の清掃要素）、８５…毛ブラシ状ブレード（第２の清掃要素）、Ｒ１…毛ブラシ状ブレードの回転軌跡、Ｒ２…板状ブレードの回転軌跡、Ｒ３…板状ブレードと毛ブラシ状ブレードのオーバーラップ寸法、Ｅ…非空気循環式電気掃除機、１１１…吸込み口体、１１２…掃除機本体、１１４…集塵袋（フィルタ）、１１５…電動送風機、１２１…吸込み口体主部、１２３…前側の回転清掃体、１２４…後側の回転清掃体、１２５…継手管、１２６…清掃体駆動装置、１３１…清掃体収容室、１３１ａ…塵取り開口、１３５…連通口、１３６…塵移送室、１３７…空気導入口（通気部）、１４２、１４３…清掃体駆動装置の最終歯車、１５３…清掃体軸、１５４…板状ブレード（第１の清掃要素）、１５５…毛ブラシ状ブレード（第２の清掃要素）
【図１】
0003813811.tif 000002
【図２】
0003813811.tif 000003
【図３】
0003813811.tif 000004
【図４】
0003813811.tif 000005
【図５】
0003813811.tif 000006
【図６】
0003813811.tif 000007
【図７】
0003813811.tif 000008
【図８】
0003813811.tif 000009
【図９】
0003813811.tif 000010
【図１０】
0003813811.tif 000011
【図１１】
0003813811.tif 000012
【図１２】
0003813811.tif 000013
【図１３】
0003813811.tif 000014